(57)【要約】      （修正有）【課題】車両のダッシュボードの表面を傷つけることなく、車載物品をダッシュボードに安定して取り付けることができる取付具を提供すること。【解決手段】後付けでスイッチ類を装着できるように車両のダッシュボードに予め設けられ、メクラ蓋で覆蓋されているスイッチ装着穴４２に嵌合する嵌合体２０を備え、嵌合体２０の前面２１に車載物品が連結される連結部材３０を設ける。嵌合体２０をスイッチ装着穴４２に嵌合することによりスマートフォンホルダー等をダッシュボードのインストルメントパネル４１に取り付けることができ、利用されていないスイッチ装着穴４２を有効に利用できる。スイッチ装着穴４２に嵌合体２０を嵌合するので、ダッシュボードの表面を傷つけることなく、スマートフォンホルダー等を安定してダッシュボードに取り付けることができる。【選択図】図２
2014210474.tif 000002
【特許請求の範囲】
【請求項１】
後付けでスイッチ類を装着できるように車両のダッシュボードに予め設けられ、メクラ蓋で覆蓋されているスイッチ装着穴に嵌合する嵌合体を備え、先端に車載物品が連結される連結部材を前記嵌合体の前面に設けたことを特徴とする車載物品の取付具。
【請求項２】
前記連結部材が複数個のボールジョイントから成ることを特徴とする請求項１に記載の車載物品の取付具。
【請求項３】
前記嵌合体の上下両面又は左右両面の各面に係止片を各面の内外方向へ変位可能に係止片を設け、
この係止片にスイッチ装着穴の周縁部に係止可能な係止面と、係止面の外端から後方へ延びる後ろ下がりのガイド面を形成し、
嵌合体をスイッチ装着穴に挿入するときガイド面がスイッチ装着穴の周縁部に摺接して係止片が上下両面又は左右両面の各面の内側方向へ変位し、
係止面の外端がスイッチ装着穴の周縁部を通過したとき係止片が上下両面又は左右両面の各面の外側方向へ変位して係止面がスイッチ装着穴の周縁部に係止されるように構成したことを特徴とする請求項１に記載の車載物品の取付具。
【請求項４】
前記係止面を後上がりに傾斜するように形成し、
係止面がスイッチ装着穴の周縁部に係止するまでスイッチ装着穴に挿入した嵌合体をスイッチ装着穴から抜き出すとき、スイッチ装着穴の周縁部に係止面が摺接して係止片が上下両面又は左右両面の各面の内側方向へ変位して係止面とスイッチ装着穴の周縁部との係止状態が解除されるように構成し、
嵌合体の前面にロック部材を嵌合体の内外方向へ進退可能に組み付け、嵌合体の内側に進入したとき先端部が係止片の底面に当接して係止片の内側方向への変位を阻止するように構成したことを特徴とする請求項３に記載の車載物品の取付具。
【請求項５】
車載物品に接続されるケーブルを挿通する貫通穴を前記嵌合体の前面及び前記連結部材に形成したことを特徴とする請求項１に記載の車載物品の取付具。
【発明の詳細な説明】
【技術分野】
【０００１】
本発明はカップ、スマートフォン、カーナビゲーションシステムのディスプレイ、カメラ、照明灯、カーレーダー、ドライブレコーダー等の各種車載物品の取付具に関し、より詳しくは車載物品を車両のダッシュボードに取り付ける取付具に関する。
【背景技術】
【０００２】
車載物品を車のダッシュボードに取り付ける取付具の一形式として、例えば、特開平１１−１２９８２９号公報及び特開２００７−３２０５４７号公報には吸盤を備えた取付具が開示されている。これらの取付具ではダッシュボードの表面に吸盤を吸着させて車載物品用ホルダー類をダッシュボードに取り付けている。
【０００３】
特開平９−２４０３４７公報、特開平２００６−１８２２７０号公報及び実用新案登録第３００５４１５号公報にはクリップ手段を備えた取付具が開示されている。これらの取付具ではダッシュボードに設けられているエアコン吹き出し口のルーバーをクリップ手段で挟持することにより車載物品用ホルダー類をダッシュボードに取り付けている。
【先行技術文献】
【特許文献】
【０００４】
【特許文献１】特開平１１−１２９８２９号公報
【特許文献２】特開２００７−３２０５４７号公報
【特許文献３】特開平９−２４０３４７公報
【特許文献４】特開２００６−１８２２７０号公報
【特許文献５】実用新案登録第３００５４１５号公報
【発明の概要】
【発明が解決しようとする課題】
【０００５】
吸盤を備えた取付具では、車両走行時の振動で吸盤がダッシュボードから脱落しないように吸着力の強い吸盤が用いられているので、表面が軟質のセフティパッドで構成されているダッシュボードでは、吸盤の強い吸着力で生ずる吸着跡でダッシュボードの表面が傷つけられる。
また、吸盤をダッシュボードに吸着した当初、吸盤内部は真空状態であるものの、徐々に吸盤内部に空気が侵入するので、やがて吸盤がダッシュボードから脱落する。
【０００６】
クリップ手段を備えた取付具では、クリップ手段でエアコン吹き出し口のルーバーを挟持してダッシュボードに取り付けられるが、ルーバーは送風方向を調整できるように上下又は左右に揺動するので、車載物品用ホルダー類に装着したスマートフォンやディスプレイが車両走行時の振動で揺れて画面が見難くなる。
【０００７】
本発明は上記問題点に鑑みてなされたものであって、車両のダッシュボードの表面を傷つけることなく、車載物品をダッシュボードに長期間にわたり安定して取り付けることができる取付具を提供することを目的とする。
【課題を解決するための手段】
【０００８】
請求項１に記載の発明は、車載物品の取付具であって、
後付けでスイッチ類を装着できるように車両のダッシュボードに予め設けられ、メクラ蓋で覆蓋されているスイッチ装着穴に嵌合する嵌合体を備え、先端に車載物品が連結される連結部材を前記嵌合体の前面に設けたことを特徴とする。
【０００９】
請求項２に記載の発明は、請求項１に記載の車載物品の取付具において、前記連結部材が複数個のボールジョイントから成ることを特徴とする。
【００１０】
請求項３に記載の発明は、請求項１に記載の車載物品の取付具において、前記嵌合体の上下両面又は左右両面の各面に係止片を各面の内外方向へ変位可能に係止片を設け、
この係止片にスイッチ装着穴の周縁部に係止可能な係止面と、係止面の外端から後方へ延びる後ろ下がりのガイド面を形成し、
嵌合体をスイッチ装着穴に挿入するときガイド面がスイッチ装着穴の周縁部に摺接して係止片が上下両面又は左右両面の各面の内側方向へ変位し、
係止面の外端がスイッチ装着穴の周縁部を通過したとき係止片が上下両面又は左右両面の各面の外側方向へ変位して係止面がスイッチ装着穴の周縁部に係止されるように構成したことを特徴とする。
【００１１】
請求項４に記載の発明は、請求項３に記載の車載物品の取付具において、前記係止面を後上がりに傾斜するように形成し、
係止面がスイッチ装着穴の周縁部に係止するまでスイッチ装着穴に挿入した嵌合体をスイッチ装着穴から抜き出すとき、スイッチ装着穴の周縁部に係止面が摺接して係止片が上下両面又は左右両面の各面の内側方向へ変位して係止面とスイッチ装着穴の周縁部との係止状態が解除されるように構成し、
嵌合体の前面にロック部材を嵌合体の内外方向へ進退可能に組み付け、嵌合体の内側に進入したとき先端部が係止片の底面に当接して係止片の内側方向への変位を阻止するように構成したことを特徴とする。
【００１２】
請求項５に記載の発明は、請求項１に記載の車載物品の取付具において、車載物品に接続されるケーブルを挿通する貫通穴を前記嵌合体の前面及び前記連結部材に形成したことを特徴とする。
【発明の効果】
【００１３】
車両のダッシュボードを構成するインストルメントパネルには後付けでスイッチ類を装着できるようにスイッチ装着穴が予め設けられている。このスイッチ装着穴は通常、メクラ蓋で覆蓋されている。請求項１に記載の発明はこのスイッチ装着穴に着目して成されたものであって、本発明によれば、嵌合体をスイッチ装着穴に嵌合することにより車載物品をダッシュボードのインストルメントパネルに取り付けることができ、利用されていないスイッチ装着穴を有効に利用できる。
【００１４】
スイッチ装着穴に嵌合体を嵌合するので、ダッシュボードを傷つけることなく、車載物品を安定してダッシュボードに取り付けることができる。
【００１５】
請求項２に記載の発明によれば、スマートフォン、カーナビゲーションシステムのディスプレイ、カメラ、照明灯等の車載物品の向きを上下、左右に調整したり回転させることができ、車載物品の使い勝手を良くできる。
【００１６】
請求項３に記載の発明によれば、嵌合体をスイッチ装着穴に挿入するだけの簡単な操作で取付具をスイッチ装着穴に装着できる。
【００１７】
請求項４に記載の発明によれば、ロック部材を嵌合体の前面から内部に進入させることにより、係止片の内側方向への変位を阻止できるので、係止面とスイッチ装着穴との係止状態が維持される。このため、嵌合体がスイッチ装着穴から不用意に脱落するのを防止できる。
【００１８】
請求項５に記載の発明によれば、車両の電源バッテリーを利用して車載物品を充電するような場合、ケーブルを貫通穴に挿通することで取付具の内部に配線できる。そのため、取付具の外観が損なわれず、また、車載物品を操作するときケーブルが邪魔にならない。
【図面の簡単な説明】
【００１９】
【図１】本発明の第１実施例に係る車載物品の取付具を示す側面図である。
【図２】同取付具を示す部分断面図である。
【図３】同取付具を示す斜視図である。
【図４】車両のダッシュボードを示す説明図である。
【図５】スマートフォン用ホルダーを示す斜視図である。
【図６】本発明の第２実施例に係る車載物品の取付具を示す側面図である。
【図７】本発明の第３実施例に係る車載物品の取付具を示す部分斜視図である。
【図８】本発明の第４実施例に係る車載物品の取付具を示す部分斜視図である。
【図９】本発明の第５実施例に係る車載物品の取付具を示す部分斜視図である。
【図１０】本発明の第６実施例に係る車載物品の取付具を示す部分斜視図である。
【実施例１】
【００２０】
以下に本発明を図面に基づき説明する。図１〜図３には本発明の第１実施例に係る車載物品の取付具１０が示されている。当該取付具１０はスマートフォンの取付具であって嵌合体２０とスマートフォンホルダー５０が連結される連結部材３０を備え、連結部材３０は複数個のボールジョイント３１とフックプレート３２を備えている。嵌合体２０、ボールジョイント３１及びフックプレート３２はいずれもプラスチック成型品が用いられている。
【００２１】
嵌合体２０は、外観が略直方体の箱型の形状を有し、後端面は開口２０ａに形成され、前面２１に連結部材３０の基端部が連結され、連結部材３０の先端部にフックプレート３１が連結されている。
【００２２】
嵌合体２０の上下両面には係止片２２が形成されている。この係止片２２は可撓性を有し、矢印Ａ，Ｂで示すように、嵌合体２０の内外方向に変位させることができる。この係止片２２には係止面２２ａと、係止面２２ａの外端部から後方へ延びるガイド面２２ｂが形成されている。係止面２２ａは後上がりの傾斜面に形成され、ガイド面２２ｂは後ろ下がりの傾斜面に形成されている。
【００２３】
嵌合体２０の前面２１の内外を貫通するように、前面２１の上下２箇所に小径のネジ穴が形成され、このネジ穴にロックネジ２３が進退可能にネジ付けられている。ロックネジ２３をねじ込んで前進させると、先端部が係止片２２の底面２２ｃに当接する。ロックネジ２３を後退させれば、係止片２２の底面２２ｃから退避する。
【００２４】
連結部材３０の基端部を構成するボールジョイント３１にはボルト部材３７が固定され、嵌合体２０の前面２１に形成したネジ穴にボルト部材３７をねじ込んで連結部材３０の基端部が嵌合体２０の前面２１に連結されている。連結部材３０の先端部を構成するボールジョイント３１にはフックプレート３２が固着されている。フックプレート３２には断面形状がＬ字形のフック片３３と、掛止片３４及びロック片３５が一体成形されている。ロック片３５はフック片３３の下端部から垂下し、下端部に丸みを帯びた凸部３６が形成されている。ロック片３５は可撓性を有し、図１に矢印Ｃで示すように、凸部３６を前後方向へ変位させることができる。
【００２５】
本実施例に係る車載物品の取付具１０の構成は以上の通りであって、以下にその使用方法を説明する。この取付具１０は図４に示すように、車両のダッシュボード４０を構成するインストルメントパネル４１に予め設けられているスイッチ装着穴４２に取り付けられる。通常、スイッチ装着穴４２はメクラ蓋４３で覆蓋されており、後付けでスイッチを装着するときにメクラ蓋４３が取り外される。本実施例に係る取付具１０では嵌合体２０をメクラ蓋４３を取り外したスイッチ装着穴４２に嵌合して装着する。
【００２６】
嵌合体２０をスイッチ装着穴４２に嵌合するとき、予め係止片２２の底面２２ｃにロックネジ２３の先端部が当接しないように退避させておく。嵌合体２０をスイッチ装着穴４２に挿入すると、ガイド面２２ｂがスイッチ装着穴４２の周縁部に摺接して係止片２２が矢印Ｂで示す上下両面の内側方向へ変位する。係止面２２ａの外端がスイッチ装着穴４２の周縁部を通過すると、係止片２２が矢印Ａで示す上下両面の外側方向へ変位するので、係止面２２ａがスイッチ装着穴４２の周縁部に係止し、嵌合体２０がスイッチ装着穴４２に装着される。
【００２７】
係止面２２ａがスイッチ装着穴４２の周縁部に係止するまでスイッチ装着穴４２に挿入した嵌合体２０をスイッチ装着穴４２から抜き出すときは、スイッチ装着穴４２の周縁部に係止面２２ａが摺接して係止片２２が矢印Ｂで示す上下両面の内側方向へ変位して係止面２２ａとスイッチ装着穴４２の周縁部との係止状態が解除される。
【００２８】
嵌合体２０を、係止面２２ａがスイッチ装着穴４２の周縁部に係止するまでスイッチ装着穴４２に挿入した状態で、ロックネジ２３を嵌合体２０の内側へ進入させ、先端部を係止片２２の底面２２ｃに当接させると、係止片２２の内側方向への変位が阻止されるので、嵌合体２０がスイッチ装着穴４２にロックされ、抜け出さなくなる。このようにして取付具１０がインストルメントパネル４１のスイッチ装着穴４２に装着される。
【００２９】
インストルメントパネル４１のスイッチ装着穴４２に取り付けた取付具１０のフックプレート３２には、図５に示すようなスマートフォンホルダー５０が装着される。スマートフォンホルダー５０の裏面には第１掛止穴５１と第２掛止穴５２が形成され、両穴５１，５２が連通している。フックプレート３２はフック片３３を第１掛止穴５１に挿入した後、上方へずらして掛止片３４を第２掛止穴５２に掛止する。このときロック片３５の丸みを帯びた凸部３６が第１掛止穴５１の下端部に当接し、掛止片３４が第２掛止穴５２から脱落するのが阻止される。フックプレート３２に装着したスマートフォンホルダー５０の表面側にスマートフォン５３を装着し、ボールジョイント３１でスマートフォン５３の向きを調整する。
【００３０】
本実施例に係る車載物品の取付具１０によれば、嵌合体２０をスイッチ装着穴４２に嵌合することによりスマートフォンホルダー５０をダッシュボード４０のインストルメントパネル４１に取り付けることができ、利用されていないスイッチ装着穴４２を有効に利用できる。
【００３１】
スイッチ装着穴４２に嵌合体２０を嵌合するので、ダッシュボード４０の表面を傷つけることなく、スマートフォンホルダー５０を安定してダッシュボード４０に取り付けることができる。
【００３２】
スマートフォンホルダー５０を取付具１０のフックプレート３２から取り外すことができるので、スマートフォン５３の使い勝手が良い。
また、ボールジョイント３１で嵌合体２０とフックプレート３２を連結したので、スマートフォンホルダー５０に装着されたスマートフォン５３の向きを自由に変えることができる。そのためスマートフォン５３の使い勝手が良い。
【００３３】
嵌合体２０をスイッチ装着穴４２に挿入するだけの簡単な操作で取付具１０をスイッチ装着穴４２に装着できる。また、ロックネジ２３を嵌合体２０の前面から内部に進入させることにより、係止片２２の内側方向への変位を阻止できるので、係止面２２ａとスイッチ装着穴４２の周縁部との係止状態が維持される。このため、嵌合体２０がスイッチ装着穴４２から不用意に脱落するのを防止できる。
【実施例２】
【００３４】
本発明の第２実施例に係る車載物品の取付具６０を図６に示す。当該取付具６０のボルト部材３７とボールジョイント３１及びフックプレートには、それぞれ貫通穴３７ａ，３１ａ，３２ａが形成され、各貫通穴３７ａ，３１ａ，３２ａが連通している。フックプレートの貫通穴３２ａはフックプレート３２の裏面の側面に開口している。これらの貫通穴３７ａ，３１ａ，３２ａには、充電用ケーブル５１が挿通されている。
なお、第２実施例に係る車載物品の取付具６０の他の構成は第１実施例に係る車載物品の取付具１０と同じであるので、同一の構成要素に同一の符号を付して説明を省略する。
【００３５】
本実施例に係る車載物品の取付具６０によれば、車両の電源バッテリーを利用してスマートフォンを充電するような場合、ケーブル５１を貫通穴３７ａ，３１ａ，３２ａに挿通することで取付具６０の内部にケーブル５１を配線できる。そのため、取付具６０の外観が損なわれず、また、スマートフォンを操作するときケーブル５１が邪魔にならない。
【実施例３】
【００３６】
本発明の第３実施例に係る車載物品の取付具７０を図７に示す。当該取付具７０にあっては、連結部材３０の先端にスマートフォンホルダー７１が直接固着されている。
なお、本実施例の他の構成は第２実施例に係る車載物品の取付具と同じであるので、同一の構成要素に同一の符号を付して説明を省略する。
【実施例４】
【００３７】
本発明の第４実施例に係る車載物品の取付具８０を図８に示す。当該取付具８０にあっては、連結部材３０の先端にスマートフォン５３等の車載物品を挟持可能なクリップ８１が固着されている。
【実施例５】
【００３８】
本発明の第５実施例に係る車載物品の取付具９０を図９に示す。当該取付具９０にあっては、連結部材３０の先端にビデオカメラヘッド９１が固着されている。
【実施例６】
【００３９】
本発明の第６実施例に係る車載物品の取付具１００を図１０に示す。当該取付具１００にあっては、連結部材３０の先端に照明用ランプ１０１が固着されている。
【００４０】
なお、第３〜第６実施例における他の構成は、第２実施例に係る車載物品の取付具６０と同じであるので、同一の構成要素に同一の符号を付して説明を省略する。
【符号の説明】
【００４１】
１０，６０，７０，８０，９０，１００…車載物品の取付具
２０…嵌合体
２１…前面
２２…係止片
２２ａ…係止面
２２ｂ…ガイド面
２２ｃ…底面
２３…ロックネジ
３０…連結部材
３１…ボールジョイント
３１ａ…貫通穴
３２…フックプレート
３２ａ…貫通穴
３３…フック片
３７ａ…貫通穴
４０…ダッシュボード
４１…インストルメントパネル
４２…スイッチ装着穴
４３…メクラ蓋
５０…スマートフォンホルダー
５１…充電用ケーブル
【図１】
2014210474.tif 000003
【図２】
2014210474.tif 000004
【図３】
2014210474.tif 000005
【図４】
2014210474.tif 000006
【図５】
2014210474.tif 000007
【図６】
2014210474.tif 000008
【図７】
2014210474.tif 000009
【図８】
2014210474.tif 000010
【図９】
2014210474.tif 000011
【図１０】
2014210474.tif 000012
【手続補正書】
【提出日】平成26年2月28日(2014.2.28)
【手続補正１】
【補正対象書類名】明細書
【補正対象項目名】全文
【補正方法】変更
【補正の内容】
【発明の詳細な説明】
【技術分野】
【０００１】
本発明はカップ、スマートフォン、カーナビゲーションシステムのディスプレイ、カメラ、照明灯、カーレーダー、ドライブレコーダー等の各種車載物品の取付具に関し、より詳しくは車載物品を車両のダッシュボードに取り付ける取付具に関する。
【背景技術】
【０００２】
車載物品を車のダッシュボードに取り付ける取付具の一形式として、例えば、特開平１１−１２９８２９号公報及び特開２００７−３２０５４７号公報には吸盤を備えた取付具が開示されている。これらの取付具ではダッシュボードの表面に吸盤を吸着させて車載物品用ホルダー類をダッシュボードに取り付けている。
【０００３】
特開平９−２４０３４７公報、特開平２００６−１８２２７０号公報及び実用新案登録第３００５４１５号公報にはクリップ手段を備えた取付具が開示されている。これらの取付具ではダッシュボードに設けられているエアコン吹き出し口のルーバーをクリップ手段で挟持することにより車載物品用ホルダー類をダッシュボードに取り付けている。
【先行技術文献】
【特許文献】
【０００４】
【特許文献１】特開平１１−１２９８２９号公報
【特許文献２】特開２００７−３２０５４７号公報
【特許文献３】特開平９−２４０３４７公報
【特許文献４】特開２００６−１８２２７０号公報
【特許文献５】実用新案登録第３００５４１５号公報
【発明の概要】
【発明が解決しようとする課題】
【０００５】
吸盤を備えた取付具では、車両走行時の振動で吸盤がダッシュボードから脱落しないように吸着力の強い吸盤が用いられているので、表面が軟質のセフティパッドで構成されているダッシュボードでは、吸盤の強い吸着力で生ずる吸着跡でダッシュボードの表面が傷つけられる。
また、吸盤をダッシュボードに吸着した当初、吸盤内部は真空状態であるものの、徐々に吸盤内部に空気が侵入するので、やがて吸盤がダッシュボードから脱落する。
【０００６】
クリップ手段を備えた取付具では、クリップ手段でエアコン吹き出し口のルーバーを挟持してダッシュボードに取り付けられるが、ルーバーは送風方向を調整できるように上下又は左右に揺動するので、車載物品用ホルダー類に装着したスマートフォンやディスプレイが車両走行時の振動で揺れて画面が見難くなる。
【０００７】
本発明は上記問題点に鑑みてなされたものであって、車両のダッシュボードの表面を傷つけることなく、車載物品をダッシュボードに長期間にわたり安定して取り付けることができる取付具を提供することを目的とする。
【課題を解決するための手段】
【０００８】
請求項１に記載の発明は、車載物品の取付具であって、
後付けでスイッチ類を装着できるように車両のダッシュボードに予め設けられ、メクラ蓋で覆蓋されているスイッチ装着穴に嵌合する嵌合体を備え、先端に車載物品が連結される連結部材を前記嵌合体の前面に設けたことを特徴とする。
【０００９】
請求項２に記載の発明は、請求項１に記載の車載物品の取付具において、前記連結部材が複数個のボールジョイントから成ることを特徴とする。
【００１０】
請求項３に記載の発明は、請求項１に記載の車載物品の取付具において、前記嵌合体の上下両面又は左右両面の各面に係止片を各面の内外方向へ変位可能に係止片を設け、
この係止片にスイッチ装着穴の周縁部に係止可能な係止面と、係止面の外端から後方へ延びる傾斜したガイド面を形成し、
嵌合体をスイッチ装着穴に挿入するときガイド面がスイッチ装着穴の周縁部に摺接して係止片が上下両面又は左右両面の各面の内側方向へ変位し、
係止面の外端がスイッチ装着穴の周縁部を通過したとき係止片が上下両面又は左右両面の各面の外側方向へ変位して係止面がスイッチ装着穴の周縁部に係止されるように、ガイド面に所要の傾斜を付与したことを特徴とする。
【００１１】
請求項４に記載の発明は、請求項３に記載の車載物品の取付具において、係止面がスイッチ装着穴の周縁部に係止するまでスイッチ装着穴に挿入した嵌合体をスイッチ装着穴から抜き出すとき、スイッチ装着穴の周縁部に係止面が摺接して係止片が上下両面又は左右両面の各面の内側方向へ変位して係止面とスイッチ装着穴の周縁部との係止状態が解除されるように係止面に所要の傾斜を付与し、
嵌合体の前面にロック部材を嵌合体の内外方向へ進退可能に組み付け、嵌合体の内側に進入したとき先端部が係止片の底面に当接して係止片の内側方向への変位を阻止するように構成したことを特徴とする。
【００１２】
請求項５に記載の発明は、請求項１に記載の車載物品の取付具において、車載物品に接続されるケーブルを挿通する貫通穴を前記嵌合体の前面及び前記連結部材に形成したことを特徴とする。
【発明の効果】
【００１３】
車両のダッシュボードを構成するインストルメントパネルには後付けでスイッチ類を装着できるようにスイッチ装着穴が予め設けられている。このスイッチ装着穴は通常、メクラ蓋で覆蓋されている。請求項１に記載の発明はこのスイッチ装着穴に着目して成されたものであって、本発明によれば、嵌合体をスイッチ装着穴に嵌合することにより車載物品をダッシュボードのインストルメントパネルに取り付けることができ、利用されていないスイッチ装着穴を有効に利用できる。
【００１４】
スイッチ装着穴に嵌合体を嵌合するので、ダッシュボードを傷つけることなく、車載物品を安定してダッシュボードに取り付けることができる。
【００１５】
請求項２に記載の発明によれば、スマートフォン、カーナビゲーションシステムのディスプレイ、カメラ、照明灯等の車載物品の向きを上下、左右に調整したり回転させることができ、車載物品の使い勝手を良くできる。
【００１６】
請求項３に記載の発明によれば、嵌合体をスイッチ装着穴に挿入するだけの簡単な操作で取付具をスイッチ装着穴に装着できる。
【００１７】
請求項４に記載の発明によれば、ロック部材を嵌合体の前面から内部に進入させることにより、係止片の内側方向への変位を阻止できるので、係止面とスイッチ装着穴との係止状態が維持される。このため、嵌合体がスイッチ装着穴から不用意に脱落するのを防止できる。
【００１８】
請求項５に記載の発明によれば、車両の電源バッテリーを利用して車載物品を充電するような場合、ケーブルを貫通穴に挿通することで取付具の内部に配線できる。そのため、取付具の外観が損なわれず、また、車載物品を操作するときケーブルが邪魔にならない。
【図面の簡単な説明】
【００１９】
【図１】本発明の第１実施例に係る車載物品の取付具を示す側面図である。
【図２】同取付具を示す部分断面図である。
【図３】同取付具を示す斜視図である。
【図４】車両のダッシュボードを示す説明図である。
【図５】スマートフォン用ホルダーを示す斜視図である。
【図６】本発明の第２実施例に係る車載物品の取付具を示す側面図である。
【図７】本発明の第３実施例に係る車載物品の取付具を示す部分斜視図である。
【図８】本発明の第４実施例に係る車載物品の取付具を示す部分斜視図である。
【図９】本発明の第５実施例に係る車載物品の取付具を示す部分斜視図である。
【図１０】本発明の第６実施例に係る車載物品の取付具を示す部分斜視図である。
【実施例１】
【００２０】
以下に本発明を図面に基づき説明する。図１〜図３には本発明の第１実施例に係る車載物品の取付具１０が示されている。当該取付具１０はスマートフォンの取付具であって嵌合体２０とスマートフォンホルダー５０が連結される連結部材３０を備え、連結部材３０は複数個のボールジョイント３１とフックプレート３２を備えている。嵌合体２０、ボールジョイント３１及びフックプレート３２はいずれもプラスチック成型品が用いられている。
【００２１】
嵌合体２０は、外観が略直方体の箱型の形状を有し、後端面は開口２０ａに形成され、前面２１に連結部材３０の基端部が連結され、連結部材３０の先端部にフックプレート３１が連結されている。
【００２２】
嵌合体２０の上下両面には係止片２２が形成されている。この係止片２２は可撓性を有し、矢印Ａ，Ｂで示すように、嵌合体２０の内外方向に変位させることができる。この係止片２２には係止面２２ａと、係止面２２ａの外端部から後方へ延びるガイド面２２ｂが形成されている。係止面２２ａは傾斜面に形成され、ガイド面２２ｂも傾斜面に形成されている。
【００２３】
嵌合体２０の前面２１の内外を貫通するように、前面２１の上下２箇所に小径のネジ穴が形成され、このネジ穴にロックネジ２３が進退可能にネジ付けられている。ロックネジ２３をねじ込んで前進させると、先端部が係止片２２の底面２２ｃに当接する。ロックネジ２３を後退させれば、係止片２２の底面２２ｃから退避する。
【００２４】
連結部材３０の基端部を構成するボールジョイント３１にはボルト部材３７が固定され、嵌合体２０の前面２１に形成したネジ穴にボルト部材３７をねじ込んで連結部材３０の基端部が嵌合体２０の前面２１に連結されている。連結部材３０の先端部を構成するボールジョイント３１にはフックプレート３２が固着されている。フックプレート３２には断面形状がＬ字形のフック片３３と、掛止片３４及びロック片３５が一体成形されている。ロック片３５はフック片３３の下端部から垂下し、下端部に丸みを帯びた凸部３６が形成されている。ロック片３５は可撓性を有し、図１に矢印Ｃで示すように、凸部３６を前後方向へ変位させることができる。
【００２５】
本実施例に係る車載物品の取付具１０の構成は以上の通りであって、以下にその使用方法を説明する。この取付具１０は図４に示すように、車両のダッシュボード４０を構成するインストルメントパネル４１に予め設けられているスイッチ装着穴４２に取り付けられる。通常、スイッチ装着穴４２はメクラ蓋４３で覆蓋されており、後付けでスイッチを装着するときにメクラ蓋４３が取り外される。本実施例に係る取付具１０では嵌合体２０をメクラ蓋４３を取り外したスイッチ装着穴４２に嵌合して装着する。
【００２６】
嵌合体２０をスイッチ装着穴４２に嵌合するとき、予め係止片２２の底面２２ｃにロックネジ２３の先端部が当接しないように退避させておく。嵌合体２０をスイッチ装着穴４２に挿入すると、ガイド面２２ｂがスイッチ装着穴４２の周縁部に摺接して係止片２２が矢印Ｂで示す上下両面の内側方向へ変位する。係止面２２ａの外端がスイッチ装着穴４２の周縁部を通過すると、係止片２２が矢印Ａで示す上下両面の外側方向へ変位するので、係止面２２ａがスイッチ装着穴４２の周縁部に係止し、嵌合体２０がスイッチ装着穴４２に装着される。
【００２７】
係止面２２ａがスイッチ装着穴４２の周縁部に係止するまでスイッチ装着穴４２に挿入した嵌合体２０をスイッチ装着穴４２から抜き出すときは、スイッチ装着穴４２の周縁部に係止面２２ａが摺接して係止片２２が矢印Ｂで示す上下両面の内側方向へ変位して係止面２２ａとスイッチ装着穴４２の周縁部との係止状態が解除される。
【００２８】
嵌合体２０を、係止面２２ａがスイッチ装着穴４２の周縁部に係止するまでスイッチ装着穴４２に挿入した状態で、ロックネジ２３を嵌合体２０の内側へ進入させ、先端部を係止片２２の底面２２ｃに当接させると、係止片２２の内側方向への変位が阻止されるので、嵌合体２０がスイッチ装着穴４２にロックされ、抜け出さなくなる。このようにして取付具１０がインストルメントパネル４１のスイッチ装着穴４２に装着される。
【００２９】
インストルメントパネル４１のスイッチ装着穴４２に取り付けた取付具１０のフックプレート３２には、図５に示すようなスマートフォンホルダー５０が装着される。スマートフォンホルダー５０の裏面には第１掛止穴５１と第２掛止穴５２が形成され、両穴５１，５２が連通している。フックプレート３２はフック片３３を第１掛止穴５１に挿入した後、上方へずらして掛止片３４を第２掛止穴５２に掛止する。このときロック片３５の丸みを帯びた凸部３６が第１掛止穴５１の下端部に当接し、掛止片３４が第２掛止穴５２から脱落するのが阻止される。フックプレート３２に装着したスマートフォンホルダー５０の表面側にスマートフォン５３を装着し、ボールジョイント３１でスマートフォン５３の向きを調整する。
【００３０】
本実施例に係る車載物品の取付具１０によれば、嵌合体２０をスイッチ装着穴４２に嵌合することによりスマートフォンホルダー５０をダッシュボード４０のインストルメントパネル４１に取り付けることができ、利用されていないスイッチ装着穴４２を有効に利用できる。
【００３１】
スイッチ装着穴４２に嵌合体２０を嵌合するので、ダッシュボード４０の表面を傷つけることなく、スマートフォンホルダー５０を安定してダッシュボード４０に取り付けることができる。
【００３２】
スマートフォンホルダー５０を取付具１０のフックプレート３２から取り外すことができるので、スマートフォン５３の使い勝手が良い。
また、ボールジョイント３１で嵌合体２０とフックプレート３２を連結したので、スマートフォンホルダー５０に装着されたスマートフォン５３の向きを自由に変えることができる。そのためスマートフォン５３の使い勝手が良い。
【００３３】
嵌合体２０をスイッチ装着穴４２に挿入するだけの簡単な操作で取付具１０をスイッチ装着穴４２に装着できる。また、ロックネジ２３を嵌合体２０の前面から内部に進入させることにより、係止片２２の内側方向への変位を阻止できるので、係止面２２ａとスイッチ装着穴４２の周縁部との係止状態が維持される。このため、嵌合体２０がスイッチ装着穴４２から不用意に脱落するのを防止できる。
【実施例２】
【００３４】
本発明の第２実施例に係る車載物品の取付具６０を図６に示す。当該取付具６０のボルト部材３７とボールジョイント３１及びフックプレートには、それぞれ貫通穴３７ａ，３１ａ，３２ａが形成され、各貫通穴３７ａ，３１ａ，３２ａが連通している。フックプレートの貫通穴３２ａはフックプレート３２の裏面の側面に開口している。これらの貫通穴３７ａ，３１ａ，３２ａには、充電用ケーブル５１が挿通されている。
なお、第２実施例に係る車載物品の取付具６０の他の構成は第１実施例に係る車載物品の取付具１０と同じであるので、同一の構成要素に同一の符号を付して説明を省略する。
【００３５】
本実施例に係る車載物品の取付具６０によれば、車両の電源バッテリーを利用してスマートフォンを充電するような場合、ケーブル５１を貫通穴３７ａ，３１ａ，３２ａに挿通することで取付具６０の内部にケーブル５１を配線できる。そのため、取付具６０の外観が損なわれず、また、スマートフォンを操作するときケーブル５１が邪魔にならない。
【実施例３】
【００３６】
本発明の第３実施例に係る車載物品の取付具７０を図７に示す。当該取付具７０にあっては、連結部材３０の先端にスマートフォンホルダー７１が直接固着されている。
なお、本実施例の他の構成は第２実施例に係る車載物品の取付具と同じであるので、同一の構成要素に同一の符号を付して説明を省略する。
【実施例４】
【００３７】
本発明の第４実施例に係る車載物品の取付具８０を図８に示す。当該取付具８０にあっては、連結部材３０の先端にスマートフォン５３等の車載物品を挟持可能なクリップ８１が固着されている。
【実施例５】
【００３８】
本発明の第５実施例に係る車載物品の取付具９０を図９に示す。当該取付具９０にあっては、連結部材３０の先端にビデオカメラヘッド９１が固着されている。
【実施例６】
【００３９】
本発明の第６実施例に係る車載物品の取付具１００を図１０に示す。当該取付具１００にあっては、連結部材３０の先端に照明用ランプ１０１が固着されている。
【００４０】
なお、第３〜第６実施例における他の構成は、第２実施例に係る車載物品の取付具６０と同じであるので、同一の構成要素に同一の符号を付して説明を省略する。
【符号の説明】
【００４１】
１０，６０，７０，８０，９０，１００…車載物品の取付具
２０…嵌合体
２１…前面
２２…係止片
２２ａ…係止面
２２ｂ…ガイド面
２２ｃ…底面
２３…ロックネジ
３０…連結部材
３１…ボールジョイント
３１ａ…貫通穴
３２…フックプレート
３２ａ…貫通穴
３３…フック片
３７ａ…貫通穴
４０…ダッシュボード
４１…インストルメントパネル
４２…スイッチ装着穴
４３…メクラ蓋
５０…スマートフォンホルダー
５１…充電用ケーブル
【手続補正２】
【補正対象書類名】特許請求の範囲
【補正対象項目名】全文
【補正方法】変更
【補正の内容】
【特許請求の範囲】
【請求項１】
後付けでスイッチ類を装着できるように車両のダッシュボードに予め設けられ、メクラ蓋で覆蓋されているスイッチ装着穴に嵌合する嵌合体を備え、先端に車載物品が連結される連結部材を前記嵌合体の前面に設けたことを特徴とする車載物品の取付具。
【請求項２】
前記連結部材が複数個のボールジョイントから成ることを特徴とする請求項１に記載の車載物品の取付具。
【請求項３】
前記嵌合体の上下両面又は左右両面の各面に係止片を各面の内外方向へ変位可能に係止片を設け、
この係止片にスイッチ装着穴の周縁部に係止可能な係止面と、係止面の外端から後方へ延びる傾斜したガイド面を形成し、
嵌合体をスイッチ装着穴に挿入するときガイド面がスイッチ装着穴の周縁部に摺接して係止片が上下両面又は左右両面の各面の内側方向へ変位し、
係止面の外端がスイッチ装着穴の周縁部を通過したとき係止片が上下両面又は左右両面の各面の外側方向へ変位して係止面がスイッチ装着穴の周縁部に係止されるように、ガイド面に所要の傾斜を付与したことを特徴とする請求項１に記載の車載物品の取付具。
【請求項４】
係止面がスイッチ装着穴の周縁部に係止するまでスイッチ装着穴に挿入した嵌合体をスイッチ装着穴から抜き出すとき、スイッチ装着穴の周縁部に係止面が摺接して係止片が上下両面又は左右両面の各面の内側方向へ変位して係止面とスイッチ装着穴の周縁部との係止状態が解除されるように係止面に所要の傾斜を付与し、
嵌合体の前面にロック部材を嵌合体の内外方向へ進退可能に組み付け、嵌合体の内側に進入したとき先端部が係止片の底面に当接して係止片の内側方向への変位を阻止するように構成したことを特徴とする請求項３に記載の車載物品の取付具。
【請求項５】
車載物品に接続されるケーブルを挿通する貫通穴を前記嵌合体の前面及び前記連結部材に形成したことを特徴とする請求項１に記載の車載物品の取付具。